(57)【要約】【課題】視聴している番組の最適なハッシュタグの情報をユーザに容易に提示することができる表示装置を提供することである。【解決手段】実施の形態の表示装置は、信号処理部と、表示部と、制御部とを備える。信号処理部は、デジタル放送の信号から番組情報を分離する。表示部は、デジタル放送の信号から分離された画像が表示される放送画面と、放送画面に表示されている番組に関連したハッシュタグの投稿コメントが表示される投稿コメント画面と、投稿コメント画面に表示したいハッシュタグの候補が複数表示されるハッシュタグ候補画面とを備える。制御部は、デジタル放送の信号から分離された番組情報中のハッシュタグ情報を抽出し、ハッシュタグ候補画面に抽出したハッシュタグ情報を表示する。【選択図】図１
2014127858.tif 000002
【特許請求の範囲】
【請求項１】
デジタル放送の信号から番組情報を分離する信号処理部と、
前記デジタル放送の信号から分離された画像が表示される放送画面と、前記放送画面に表示されている番組に関連したハッシュタグの投稿コメントが表示される投稿コメント画面と、前記投稿コメント画面に表示したいハッシュタグの候補が複数表示されるハッシュタグ候補画面とを備える表示部と、
前記デジタル放送の信号から分離された前記番組情報中のハッシュタグ情報を抽出し、前記ハッシュタグ候補画面に抽出した前記ハッシュタグ情報を表示する制御部と、
を有することを特徴とする表示装置。
【請求項２】
前記制御部は、前記番組情報中の公式ホームページのアドレス情報から、前記公式ホームページにアクセスして前記ハッシュタグ情報を抽出し、前記ハッシュタグ候補画面に抽出した前記ハッシュタグ情報を表示することを特徴とする請求項１に記載の表示装置。
【請求項３】
前記制御部は、前記番組情報中の番組名をもとにインターネット検索した結果から前記ハッシュタグ情報を抽出し、件数の多いハッシュタグ情報から順に前記ハッシュタグ候補画面に表示することを特徴とする請求項１または２に記載の表示装置。
【請求項４】
前記制御部は、前記放送画面に表示されている画像から得られた所定の情報をもとに、前記インターネット検索した結果から前記ハッシュタグ情報を抽出し、前記ハッシュタグ候補画面に表示することを特徴とする請求項３に記載の表示装置。
【請求項５】
前記表示部は、抽出した前記ハッシュタグ情報を前記インターネットに接続されているサーバに蓄積し、前記番組が次回視聴される際に前記サーバに蓄積した前記ハッシュタグ情報を前記ハッシュタグ候補画面に表示することを特徴とする請求項１から４のいずれか１つに記載の表示装置。
【発明の詳細な説明】
【技術分野】
【０００１】
本発明の実施の形態は、表示装置に関する。
【背景技術】
【０００２】
近年、テレビジョン放送がアナログ放送からデジタル放送に完全に移行したことにより、ユーザは、高精細でテレビジョン放送を視聴することができるようになっている。デジタル放送の解像度は、１４４０ｘ１０８０ｉまたは１９２０ｘ１０８０ｉであるが、最近では、１０８０ｉ以上の解像度を表現できる４Ｋ解像度のテレビジョン装置が発売されるようになった。
【０００３】
４Ｋ解像度のテレビジョン装置は、通常のテレビジョン装置の４倍の解像度、すなわち、４０９６ｘ２１６０ｉの解像度を表現することができる。そのため、４Ｋ解像度のテレビジョン装置は、通常のデジタル放送を表示した場合でも、１９２０ｘ１０８０ｉの高精細な解像度を維持したままで、さらにデジタル放送以外の情報も表示できるスペースが存在することになる。例えば、デジタル放送が表示される領域以外のスペースに、テレビジョン装置の外部入力端子に接続された家庭用ゲームを表示しながら、テレビジョン放送を視聴することが可能である。
【０００４】
最近では、スマートフォンや高機能携帯電話等の普及により、テレビジョン放送を視聴しながらリアルタイムに感想、例えば、短文のコメントを投稿するユーザも増えている。この短文投稿は、通常、フォローした人の投稿しか表示されないため、フォローしていない人が今現在視聴している番組に対しての投稿は見ることはできない。そこで、ハッシュタグを用いて投稿検索をすることにより視聴している番組の投稿を見ることができるが、ユーザはハッシュタグの情報を知ることができないという問題がある。
【先行技術文献】
【特許文献】
【０００５】
【特許文献１】特開２０１２−１７５１１８号公報
【発明の概要】
【発明が解決しようとする課題】
【０００６】
本発明の実施の形態の課題は、視聴している番組の最適なハッシュタグの情報をユーザに容易に提示することができる表示装置を提供することである。
【課題を解決するための手段】
【０００７】
実施の形態の表示装置は、信号処理部と、表示部と、制御部とを備える。信号処理部は、デジタル放送の信号から番組情報を分離する。表示部は、デジタル放送の信号から分離された画像が表示される放送画面と、放送画面に表示されている番組に関連したハッシュタグの投稿コメントが表示される投稿コメント画面と、投稿コメント画面に表示したいハッシュタグの候補が複数表示されるハッシュタグ候補画面とを備える。制御部は、デジタル放送の信号から分離された番組情報中のハッシュタグ情報を抽出し、ハッシュタグ候補画面に抽出したハッシュタグ情報を表示する。
【図面の簡単な説明】
【０００８】
【図１】一実施の形態に係る表示装置の構成を示す図である。
【図２】一実施の形態に係る表示装置の電気的な構成を説明するための図である。
【図３】ハッシュタグ検索処理の流れの例を示すフローチャートである。
【図４】ハッシュタグ検索処理の流れの他の例を示すフローチャートである。
【図５】表示装置とハッシュタグを管理するサーバとの関係を説明するための図である。
【発明を実施するための形態】
【０００９】
以下、図面を参照して本発明の実施の形態について詳細に説明する。
【００１０】
まず、図１及び図２に基づき、一実施の形態に係る表示装置の構成について説明する。
【００１１】
図１は、一実施の形態に係る表示装置の構成を示す図であり、図２は、一実施の形態に係る表示装置の電気的な構成を説明するための図である。
【００１２】
図１に示すように、表示装置１は、フルハイビジョンの４倍の解像度を有する４Ｋテレビジョン装置であり、４Ｋパネル等である表示部２を有している。
【００１３】
表示部２の左上側には、現在視聴しているデジタル放送の映像が表示される放送画面３が配置される。この放送画面３には、フルハイビジョンの映像である１０８０ｉの高精細なデジタル放送が表示される。
【００１４】
表示部２の右側には、放送画面３に表示されている番組に関連したハッシュタグの投稿コメントがリアルタイムで表示される投稿コメント画面４が配置される。
【００１５】
表示部２の左下側には、投稿コメント画面４に表示したいハッシュタグの候補が複数表示されるハッシュタグ候補画面５が配置される。ユーザは、ハッシュタグ候補画面５に表示された複数のハッシュタグの候補から所望のハッシュタグを選択することができる。
【００１６】
さらに、放送画面３とハッシュタグ候補画面５との間には、短文の投稿コメントを書き込むことができる投稿コメント書き込み画面６が配置されている。
【００１７】
なお、これらの放送画面３、投稿コメント画面４、ハッシュタグ候補画面５及び投稿コメント書き込み画面６の配置は、図１の配置に限定されるものではなく、他の配置であってもよい。また、これらの放送画面３、投稿コメント画面４、ハッシュタグ候補画面５及び投稿コメント書き込み画面６の配置は、固定されたものではなく、例えば、ユーザによりこれらの画面の配置を変更できるようにしてもよい。さらに、図１の画面の配置は、ユーザが投稿コメントの表示や短文のコメントを投稿する投稿コメントモードに変更した際の画面配置であり、例えば、デジタル放送を視聴するだけであれば、表示部２の全体にデジタル放送を表示する。
【００１８】
表示装置１は、インターネット７に接続されている。このインターネット７には、他の表示装置８、パーソナルコンピュータ等の電子機器９や放送番組の公式ホームページ（以下、公式ＨＰともいう）１０が接続されている。
【００１９】
図２に示すように、表示装置１は、表示部２に加え、アンテナ１１と、チューナ１２と、信号処理部１３と、音声処理部１４と、スピーカ１５、映像処理部１６と、バス１７と、ＲＯＭ１８、ＲＡＭ１９、制御部２０、リモコン受信部２１、送受信部２２と、とを有して構成されている。
【００２０】
アンテナ１１は、例えば放送局から送信されるデジタル放送の信号を受信し、受信した信号をチューナ１２に供給する。
【００２１】
チューナ１２は、アンテナ１１を介して入力されるデジタル放送の信号から所望のチャンネルの放送信号を選局し、信号処理部１３に出力する。この放送信号の選局は、例えばユーザがリモートコントローラ（以下、リモコンという）２３を操作し、制御部２０からチューナ１２に選局信号が出力されることで行われる。
【００２２】
信号処理部１３は、選局された放送信号を復調し、さらに、復調した放送信号を音声信号と映像信号と番組情報とに分離する。この番組情報には、例えば、番組名、出演者、番組の内容、ホームページのＵＲＬ情報（アドレス情報）等の情報が含まれている。そして、信号処理部１３は、分離した音声信号を音声処理部１４に出力し、映像信号を映像処理部１６に出力し、番組情報をバス１７を介して制御部２０に出力する。
【００２３】
音声処理部１４は、入力された音声信号に所定の音声処理を施し、スピーカ１５に出力する。スピーカ１５は、音声処理部１４から出力される音声信号に基づき音声の再生を行う。
【００２４】
映像処理部１６は、入力された映像信号に所定の映像処理を施し、表示部２に出力する。表示部２は、映像処理部１６から出力される映像信号を放送画面３に表示する。
【００２５】
ＲＯＭ１８には、表示装置１全体の制御を行うための制御プログラムや後述するハッシュタグ検索処理を行うためのハッシュタグ検索処理プログラム等が記録されている。これらのプログラムは、制御部２０の制御によりＲＡＭ１９に展開される。
【００２６】
制御部２０は、ＲＡＭ１９に展開されたプログラムを実行することで、表示装置１の全体の制御やハッシュタグ検索処理を実行する。なお、このハッシュタグ検索処理については、後述する図３及び図４を用いて詳細に説明する。
【００２７】
リモコン受信部２１は、ユーザがリモコン２３を操作して得られた操作指示信号を受信する。また、インターネット７とのインターフェイスである送受信部２２は、インターネット７とのデータの送受信を行う。
【００２８】
次に、このように構成された表示装置１のハッシュタグ検索処理について説明する。
【００２９】
図３は、ハッシュタグ検索処理の流れの例を示すフローチャートである。なお、このハッシュタグ検索処理は、ユーザが番組を視聴中に投稿コメントモードに変更した際に、ＲＯＭ１８に記録されているハッシュタグ検索処理プログラムを制御部２０が実行することにより行われる。
【００３０】
まず、デジタル放送信号から分離された番組情報を取得し（ステップＳ１）、取得した番組情報にハッシュタグ情報があるか否かが判定される（ステップＳ２）。番組情報にハッシュタグ情報があると判定された場合、ＹＥＳとなり、ステップＳ９に進む。後述するが、番組情報にハッシュタグ情報がある場合は、そのハッシュタグ情報が番組の公式のハッシュタグになるため、そのハッシュタグをハッシュタグ候補の１つとしてハッシュタグ候補画面５に表示することになる。
【００３１】
一方、番組情報にハッシュタグ情報がないと判定された場合、ＮＯとなり、番組情報に公式ＨＰ１０のＵＲＬ情報（アドレス情報）があるか否かが判定される（ステップＳ３）。番組情報に公式ＨＰ１０のＵＲＬ情報がないと判定された場合、ＮＯとなり、ステップＳ６に進む。一方、番組情報に公式ＨＰ１０のＵＲＬ情報があると判定された場合、ＹＥＳとなり、インターネット７を介して公式ＨＰ１０に接続し（ステップＳ４）、公式ＨＰ１０にハッシュタグ情報があるか否かが判定される（ステップＳ５）。公式ＨＰ１０にハッシュタグ情報があると判定された場合、ＹＥＳとなり、ステップＳ９に進む。すなわち、公式ＨＰ１０内のハッシュタグをハッシュタグ候補の１つとしてハッシュタグ候補画面５に表示する。
【００３２】
一方、公式ＨＰ１０にハッシュタグ情報がないと判定された場合、ＮＯとなり、番組タイトルを検索ワードとしてインターネット７上で短文投稿検索を行う（ステップＳ６）。なお、ステップＳ６の処理では、番組タイトルに限定されることなく、例えば、出演者の名前等を検索ワードとしてもよい。次に、検索結果からハッシュタグ情報を抽出し（ステップＳ７）、抽出したハッシュタグ情報を解析する（ステップＳ８）。ステップＳ７及びステップＳ８の処理では、抽出したハッシュタグ情報を解析して、ハッシュタグとして使用している数が多い順にハッシュタグ候補として抽出する。ハッシュタグ候補が多すぎてもユーザが混乱するため、ステップＳ７及びステップＳ８で得られたハッシュタグのうち、例えば上位３種類のハッシュタグをハッシュタグ候補とする。
【００３３】
ステップＳ２において番組情報にハッシュタグ情報がある場合、ステップＳ５において公式ＨＰ１０にハッシュタグ情報がある場合、または、ステップＳ８においてハッシュタグ情報が解析された場合、そのハッシュタグ情報がハッシュタグ候補に設定され（ステップＳ９）、設定されたハッシュタグ候補がハッシュタグ候補画面５に表示され（ステップＳ１０）、処理を終了する。
【００３４】
ユーザは、ハッシュタグ候補画面５に表示された複数のハッシュタグ候補の中から、投稿コメント画面４に表示したしハッシュタグを選択する。選択するハッシュタグは、１つでもよいし、複数でもよい。なお、ユーザがハッシュタグを選択しない場合、ステップＳ２やステップＳ５で得られた公式なハッシュタグを用いて、投稿コメント画面４の表示を行う。また、公式なハッシュタグが存在しない場合には、ステップＳ７及びステップＳ８で得られたハッシュタグのうち、最も多く得られたハッシュタグを用いて、投稿コメント画面４の表示を行う。
【００３５】
投稿コメント書き込み画面６は、ハッシュタグ候補画面５で選択されたハッシュタグを自動的に末尾に付加する機能を有している。また、ユーザは、投稿コメント書き込み画面６を用いて任意にハッシュタグを書き込むことができる。その場合、ユーザが任意で書き込んだハッシュタグをハッシュタグ候補画面５に表示されるハッシュタグ候補の１番目に表示する。
【００３６】
なお、投稿される内容はリアルタイムで次々に変化するため、図３のハッシュタグ検索処理で得られたハッシュタグでは、古い情報のままになってしまうことがある。そこで、リアルタイムにハッシュタグ検索を行うことができるハッシュタグ検索処理の他の例を図４を用いて説明する。
【００３７】
図４は、ハッシュタグ検索処理の流れの他の例を示すフローチャートである。
【００３８】
まず、放送画面３に表示されている放送番組のある一場面の画像をキャプチャし（ステップＳ１１）、キャプチャ画像を解析する（ステップＳ１２）。次に、キャプチャ画像からテロップ部分（所定の情報）を抽出し（ステップＳ１３）、テロップがあるか否かが判定される（ステップＳ１４）。テロップがないと判定された場合、ＮＯとなりステップＳ１８に進む。一方、テロップがあると判定された場合、ＹＥＳとなり、テロップをキーワードに短文投稿検索を行い（ステップＳ１５）、ハッシュタグ情報を解析する（ステップＳ１６）。解析したハッシュタグ情報をハッシュタグ候補に設定する（ステップＳ１７）。
【００３９】
次に、キャプチャ画像から人物部分（所定の情報）を抽出し（ステップＳ１８）、人物がいるか否かが判定される（ステップＳ１９）人物がいないと判定された場合、ＮＯとなり、ステップＳ２５に進む。一方、人物がいると判定された場合、ＹＥＳとなり、画像検索が行われ（ステップＳ２０）、画像の人物が特定できたか否かが判定される（ステップＳ２１）。画像の人物が特定できない場合、ＮＯとなり、ステップＳ２５に進む。一方、画像の人物が特定できた場合、ＹＥＳとなり、特定した人物名をキーワードに短文投稿検索を行う（ステップＳ２２）。
【００４０】
抽出されたハッシュタグ情報が解析され（ステップＳ２３）、そのハッシュタグ情報がハッシュタグ候補に設定される（ステップＳ２４）。最後に、ステップＳ１７及びステップＳ２４で設定されたハッシュタグ候補がハッシュタグ候補画面５に表示され（ステップＳ２５）、処理を終了する。
【００４１】
図３のハッシュタグ検索処理に加え、この図４のハッシュタグ検索処理を所定の時間毎に定期的に行うことにより、最新のハッシュタグ候補をユーザにリアルタイムで提供することができるようになる。
【００４２】
以上のように、表示装置１は、ユーザがテレビジョン放送を視聴しながら、その番組に投稿された投稿コメントを同時に楽しみたいときに、放送されている番組に適したハッシュタグをハッシュタグ候補画面５に表示し、ユーザに提供することができる。これにより、ユーザは、放送されている番組に適したハッシュタグをハッシュタグ候補画面５から簡単に選ぶことができるようになる。
【００４３】
（変形例）
通常の番組は、毎日同じ時間帯に放送されたり、毎週決まった曜日の同じ時間帯に放送されたりと、ある一定の法則で放送されている。そこで、ユーザが投稿コメント画面４の表示に使用したハッシュタグを次回の放送で使用することができるようにサーバで管理するようにしてもよい。このハッシュタグを管理する機能は、いわゆるクラウドサービスの１つのサービスとしてユーザに提供される。
【００４４】
図５は、表示装置とハッシュタグを管理するサーバとの関係を説明するための図である。なお、図５において、図１と同様の構成については、同一の符号を付して説明を省略する。
【００４５】
図５に示すように、表示装置１は、ハッシュタグを管理するサーバ３０にインターネット７を介して接続されている。このサーバ３０には、ユーザ管理情報３１、番組情報３２及びハッシュタグ情報３３が記録され管理されている。
【００４６】
例えば、上述した実施の形態のハッシュタグ検索処理で抽出されたハッシュタグ情報や投稿コメント画面４の表示に使用されたハッシュタグが、ユーザ管理情報３１及び番組情報３２に関連付けられてハッシュタグ情報３３に登録される。ハッシュタグ情報３３に登録されたハッシュタグは、ユーザが表示措置１を用いて次回同じ番組を視聴する際に、インターネット７を介して読み出されて、ハッシュタグ候補としてハッシュタグ候補画面５に表示される。ユーザは、表示されたハッシュタグ候補をハッシュタグ候補画面５から選択し、ハッシュタグとして使用することができる。
【００４７】
なお、番組とハッシュタグ候補との紐付けは、特定のユーザだけではなく、サーバ３０にアクセスできるユーザは誰でも使用することができるようにする。これにより、ある番組Ａを視聴しているユーザＡが使用したハッシュタグを、同じ番組Ａを視聴しているユーザＢがハッシュタグ候補として使用することが可能である。
【００４８】
以上のように、変形例の表示装置１は、上述した実施の形態のハッシュタグ検索処理を実行しなくても、視聴している番組に最適なハッシュタグを容易に得ることができる。
【００４９】
なお、以上説明した動作を実行するプログラムは、コンピュータプログラム製品として、フレキシブルディスク、CD-ROM等の可搬媒体や、ハードディスク等の記憶装置等に、その全体あるいは一部が記録され、あるいは記憶されている。そのプログラムがコンピュータにより読み取られて、動作の全体あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に上述した各実施の形態のハッシュタグ検索処理を実現することができる。
【００５０】
また、本明細書における各フローチャート中の各ステップは、その性質に反しない限り、実行順序を変更し、複数同時に実行し、あるいは実行毎に異なった順序で実行してもよい。
【００５１】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５２】
１…表示装置、２…表示部、３…放送画面、４…投稿コメント画面、５…ハッシュタグ候補画面、６…投稿コメント書き込み画面、７…インターネット、８…表示装置、９…電子機器、１０…公式ホームページ、１１…アンテナ、１２…チューナ、１３…信号処理部、１４…音声処置部、１５…スピーカ、１６…映像処理部、１７…バス、１８…ＲＯＭ、１９…ＲＡＭ、２０…制御部、２１…リモコン受信部、２２…送受信部、２３…リモコン。
【図１】
2014127858.tif 000003
【図２】
2014127858.tif 000004
【図３】
2014127858.tif 000005
【図４】
2014127858.tif 000006
【図５】
2014127858.tif 000007